(57)【要約】      （修正有）【課題】新たな機能を付加して商品価値を高めた新規な屋外配管を提供する。【解決手段】建物の外壁面１００に沿って敷設される屋外配管１０において、管継手１２などの配管部材に監視カメラ１４などの防犯機器を取り付けることで、屋外配管に防犯機能という新たな機能を付加した。屋外配管１０は、建物の外壁面１００に沿って敷設される排水管、給水管、雨水管、通気管およびガス管などであって、流体の流路を構成する配管部材１２と、配管部材１２に取り付けられた防犯機器１４とを含む。ここで、防犯機器１４とは、防犯に役立つ機器または防犯に効果があると思われる機器のことを言う。防犯機器の具体例としては、監視カメラ、照明装置およびスピーカ（警報装置）などが挙げられる。【選択図】図１
2019210972.tif 000002
【特許請求の範囲】
【請求項１】
建物の外壁面に沿って敷設される屋外配管において、
配管部材に防犯機器を取り付けたことを特徴とする、屋外配管。
【請求項２】
前記配管部材は、管継手を含み、
前記管継手の管壁が前記防犯機器を取り付けるための機器取付部を有する、請求項１記載の屋外配管。
【請求項３】
前記配管部材は、配管用管を含み、
前記配管用管の管壁が前記防犯機器を取り付けるための機器取付部を有する、請求項１記載の屋外配管。
【請求項４】
前記配管部材の外側面に装着されるカバー部材を備え、
前記カバー部材が前記防犯機器を取り付けるための機器取付部を有する、請求項１記載の屋外配管。
【請求項５】
前記防犯機器に接続される配線は、外部に露出しないように前記配管部材の管壁内に埋め込まれているまたは前記配管部材に装着した封止部材で覆われている、請求項１から４のいずれかに記載の屋外配管。
【請求項６】
建物の外壁面に沿って敷設される屋外配管において、
配管部材に前記建物内の様子を検出可能なセンサを取り付けたことを特徴とする、屋外配管。
【請求項７】
屋外配管に用いられる管継手の外側面に装着される管継手用カバー部材において、
防犯機器を取り付けるための機器取付部を有することを特徴とする、管継手用カバー部材。
【発明の詳細な説明】
【技術分野】
【０００１】
この発明は、屋外配管および管継手用カバー部材に関し、特にたとえば、建物の外壁面に沿って敷設される、屋外配管および管継手用カバー部材に関する。
【背景技術】
【０００２】
従来、たとえば特許文献１に開示されるように、建物の外壁面に沿って敷設される屋外配管が公知である。屋外配管には、排水管、給水管、雨水管、通気管およびガス管などがある。
【先行技術文献】
【特許文献】
【０００３】
【特許文献１】特開２０１２−５７３００号公報
【発明の概要】
【発明が解決しようとする課題】
【０００４】
従来の屋外配管は、基本的には流体を流す配管としてだけに用いられ、それ以外の機能を有していない。そこで、屋外配管に新たな機能を付加することで、ユーザに対する訴求力（つまり商品価値）を高めて、屋外配管の市場を拡大したいという要望がある。
【０００５】
それゆえに、この発明の主たる目的は、新たな機能を付加して商品価値を高めた、新規な屋外配管および管継手用カバー部材を提供することである。
【課題を解決するための手段】
【０００６】
第１の発明は、建物の外壁面に沿って敷設される屋外配管において、配管部材に防犯機器を取り付けたことを特徴とする、屋外配管である。
【０００７】
第１の発明では、屋外配管は、管継手および配管用管などの配管部材と、配管部材に取り付けられた防犯機器とを備える。ここで、防犯機器とは、防犯に役立つ機器または防犯に効果があると思われる機器のことを言い、具体例としては、監視カメラ、照明装置およびスピーカ等が挙げられる。
【０００８】
第１の発明によれば、配管部材に防犯機器を取り付けることで、防犯機能という新たな機能を屋外配管に付加したので、屋外配管の商品価値を高めることができる。
【０００９】
第２の発明は、第１の発明に従属し、配管部材は、管継手を含み、管継手の管壁が防犯機器を取り付けるための機器取付部を有する。
【００１０】
第２の発明では、防犯機器を取り付けるための機器取付部が管継手の管壁に形成される。つまり、管継手自体が機器取付部を有している。
【００１１】
第３の発明は、第１の発明に従属し、配管部材は、配管用管を含み、配管用管の管壁が防犯機器を取り付けるための機器取付部を有する。
【００１２】
第３の発明では、防犯機器を取り付けるための機器取付部が配管用管の管壁に形成される。つまり、配管用管自体が機器取付部を有している。
【００１３】
第４の発明は、第１の発明に従属し、配管部材の外側面に装着されるカバー部材を備え、カバー部材が防犯機器を取り付けるための機器取付部を有する。
【００１４】
第４の発明では、カバー部材をさらに備え、防犯機器を取り付けるための機器取付部は、このカバー部材に形成される。つまり、防犯機器は、カバー部材を用いて配管部材に取り付けられる。
第４の発明によれば、カバー部材を用いるので、従来公知の配管部材に対しても防犯機器を取り付け可能となる。また、カバー部材によって配管部材を覆うので、屋外配管の意匠性を向上させることができ、その商品価値をさらに高めることができる。  第５の発明は、第１から第４のいずれかの発明に従属し、防犯機器に接続される配線は、外部に露出しないように配管部材の管壁内に埋め込まれているまたは配管部材に装着した封止部材で覆われている。
【００１５】
第５の発明では、防犯機器に接続される電源線および信号線などの配線は、配管部材の管壁内に埋め込まれる、或いは、配管部材に装着した封止部材で覆われることによって、屋外配管の外部に露出しないように配設される。
【００１６】
第５の発明によれば、屋外配管の外部に露出しないように配線を配設するので、建物の外観上の美感を向上させることができる。
【００１７】
第６の発明は、建物の外壁面に沿って敷設される屋外配管において、配管部材に建物内の様子を検出可能なセンサを取り付けたことを特徴とする、屋外配管である。
【００１８】
第６の発明では、屋外配管は、管継手および配管用管などの配管部材と、配管部材に取り付けられた建物内の様子を検出可能なセンサとを備える。建物内の様子を検出可能なセンサの具体例としては、圧力センサ、音センサ、振動センサおよび温度センサ等の配管部材内を流れる流体の情報を検知するセンサが挙げられる。
【００１９】
第６の発明によれば、配管部材に建物内の様子を検出可能なセンサを取り付けることで、安否確認機能という新たな機能を屋外配管に付加したので、屋外配管の商品価値を高めることができる。
【００２０】
第７の発明は、屋外配管に用いられる管継手の外側面に装着される管継手用カバー部材において、防犯機器を取り付けるための機器取付部を有することを特徴とする、管継手用カバー部材である。
【００２１】
第７の発明では、管継手用カバー部材は、屋外配管に用いられる管継手の外側面に装着されるものであって、たとえば１対の半割体によって構成される。管継手用カバー部材は、監視カメラおよび照明装置などの防犯機器を取り付けるための機器取付部を備える。
【００２２】
第７の発明によれば、従来公知の配管部材に対しても防犯機器を取り付け可能となる。また、管継手用カバー部材が配管部材を覆うことで、屋外配管の意匠性を向上させることができ、その商品価値を高めることができる。
【発明の効果】
【００２３】
この発明によれば、防犯機能または安否確認機能という新たな機能を屋外配管に付加したので、屋外配管の商品価値を高めることができる。
【００２４】
この発明の上述の目的、その他の目的、特徴および利点は、図面を参照して行う後述の実施例の詳細な説明から一層明らかとなろう。
【図面の簡単な説明】
【００２５】
【図１】この発明の一実施例である屋外配管を建物の外壁面に設置した様子を示す図解図である。
【図２】図１の屋外配管を示す正面図である。
【図３】図１の屋外配管を示す左側面図である。
【図４】図１の屋外配管を分解して示す図解図である。
【図５】図１の屋外配管が備える管継手を示す正面図である。
【図６】図５の管継手を示す左側面図である。
【図７】図１の屋外配管が備える監視カメラを示す正面図である。
【図８】図１の屋外配管が備えるカバー部材を示す左側面図である。
【図９】図８のカバー部材の半割体を外面側から見た様子を示す図解図である。
【図１０】図８のカバー部材の半割体を内面側から見た様子を示す図解図である。
【図１１】この発明の他の実施例である屋外配管を建物の外壁面に設置した様子を示す図解図である。
【図１２】図１１の屋外配管を示す正面図である。
【図１３】図１１の屋外配管を示す左側面図である。
【図１４】図１１の屋外配管を分解して示す図解図である。
【図１５】図１１の屋外配管が備える管継手を示す正面図である。
【図１６】図１５の管継手を示す平面図である。
【図１７】図１１の屋外配管が備える照明装置を示す正面図である。
【図１８】図１１の屋外配管が備える照明ケースを示す正面図である。
【図１９】図１８の照明ケースを示す左側面図である。
【図２０】この発明のさらに他の実施例である屋外配管を示す斜視図である。
【図２１】図２０の屋外配管を分解して示す図解図である。
【発明を実施するための形態】
【００２６】
図１を参照して、この発明の一実施例である屋外配管１０は、建物の外壁面１００に沿って敷設される排水管、給水管、雨水管、通気管およびガス管などであって、流体の流路を構成する配管部材と、配管部材に取り付けられた防犯機器とを含む。
【００２７】
ここで、防犯機器とは、防犯に役立つ機器または防犯に効果があると思われる機器のことを言う。防犯機器の具体例としては、監視カメラ、照明装置およびスピーカ（警報装置）などが挙げられる。この実施例では、配管部材は、排水配管用の９０°エルボ型の管継手１２であって、建物の外壁面１００から下流側端部が突出する排水横管１０２と、外壁面１００に沿って延びる排水立て管１０４とを接続する。また、防犯機器は、監視カメラ１４である。
【００２８】
以下、この実施例の屋外配管１０の構成について、具体的に説明する。図２−図４に示すように、屋外配管１０は、管継手１２、監視カメラ１４およびカバー部材（管継手用カバー部材）１６を備える。
【００２９】
図５および図６に示すように、管継手１２は、ポリ塩化ビニル等の合成樹脂などによって形成される。管継手１２は、９０°の角度で湾曲する排水流路２０ａを有する曲管状の継手本体２０を備える。継手本体２０の内径（排水流路２０ａの径）は、たとえば５０ｍｍである。継手本体２０の両端部のそれぞれには、接着受口などの接続部２２が形成される。また、継手本体２０の側壁上部には、上方に突出する突出部２４が形成される。この突出部２４の上面には、水平面状の載置面２４ａが形成される。また、継手本体２０の両外側面（図５における正面側と背面側）には、四角錐台状の窪み部２６が形成される。この窪み部２６は、後述するカバー部材１６の突起部４４との嵌合部として用いられる。
【００３０】
図７に示すように、監視カメラ１４は、合成樹脂などによって形成される筐体２８を備える。筐体２８は、有底円筒状の基部３０と、基部３０の上部開口を覆うように設けられる半球ドーム状の透光部３２とを含む。基部３０の上端部には、鍔部３４が形成される。この鍔部３４には、半球ドーム状の保護カバー３６が透光部３２を覆うように装着される。保護カバー３６は、アクリル等の透光性を有する高強度材によって形成される。また、基部３０の外側面には、鍔部３４の下の位置において、環状の溝部３８が形成される。この溝部３８は、後述するカバー部材１６の環状突起４６ａとの嵌合部として用いられる。
【００３１】
また、図示は省略するが、筐体２８内には、レンズ等の光学系と、ＣＣＤまたはＣＭＯＳ等の撮像素子とを有するカメラ本体、およびカメラ本体の動作を制御する制御基板などが設けられる。カメラ本体は、レンズが外壁面１００と反対側を向くように配置され、レンズ前方の景色（被写体）を撮影して映像信号を生成する。この映像信号は、制御基板に入力される。制御基板には、電源線および信号線などの配線（図示せず）を介して、建物に設置された商用電源などの電源およびホームユニット（外部コンピュータ）が接続されており、制御基板は、入力された映像信号をホームユニットに出力する。
【００３２】
たとえば、ホームユニットでは、入力された映像信号が適宜記憶される。ユーザは、ホームユニットが備えるモニタ等を介して、監視カメラ１４で取得された映像を確認することができる。また、たとえば、ホームユニットをインターネット等のネットワークを介してクラウドサーバと接続しておき、ユーザがスマートフォン等の携帯端末からクラウドサーバにアクセスすることで、監視カメラ１４で取得された映像を外出中でも確認できる配管システムを構築することもできる。
【００３３】
図８−図１０に示すように、カバー部材１６は、管継手１２の外側面を覆う部材であって、ポリ塩化ビニル等の合成樹脂などによって形成される。この実施例では、カバー部材１６は、接続部２２および載置面２４ａを除く継手本体２０の外側面全体を覆うように形成される。また、カバー部材１６は、１対の半割体１６ａによって構成されている。カバー部材１６は、半割体１６ａの周方向端面に形成される図示しない連結部同士を連結して半割体１６ａ同士を一体化することで、全体として略円筒状となる。
【００３４】
具体的には、カバー部材１６は、略円筒状の立て管部４０を備え、この立て管部４０の側壁には、略馬蹄形状の開口部４２が形成される。また、立て管部４０の内側面には、継手本体２０の窪み部２６と嵌め合わされる四角錐台状の突起部４４が形成される。立て管部４０および開口部４２上部の外径は、管継手１２の接続部２２の外径と同じ大きさに設定され、管継手１２にカバー部材１６を装着した状態において、立て管部４０の外側面および開口部４２の外側面上部は、管継手１２の接続部２２の外側面と段差を生じることなく面一に連続される。
【００３５】
そして、立て管部４０の上端部には、監視カメラ１４の筐体２８の基部３０を収容可能な短円筒状の機器取付部４６が形成される。この機器取付部４６は、内方に向かって突出する環状の環状突起４６ａを有する。すなわち、この実施例では、カバー部材１６が防犯機器を取り付けるための機器取付部４６を有しており、このカバー部材１６によって管継手１２に監視カメラ１４が取り付けられる。
【００３６】
図４を参照して、このような屋外配管１０において管継手１２に監視カメラ１４を取り付ける際には、先ず、管継手１２の載置面２４ａ上に監視カメラ１４を載置する。次に、管継手１２の継手本体２０および監視カメラ１４の基部３０を両側から挟み込むようにして、半割体１６ａ同士を接続して一体化することで、管継手１２の外側面にカバー部材１６を装着する。このとき、カバー部材１６の突起部４４を管継手１２の窪み部２６に嵌め合わせると共に、カバー部材１６の環状突起４６ａを監視カメラ１４の溝部３８に嵌め合わせるようにする。カバー部材１６の突起部４４と管継手１２の窪み部２６とを嵌合させることで、管継手１２の外側面に対してカバー部材１６が抜け止めされた状態で固定される。また、カバー部材１６の環状突起４６ａと監視カメラ１４の溝部３８とを嵌合させることで、機器取付部４６に対して監視カメラ１４が抜け止めされた状態で固定される。
【００３７】
なお、管継手１２に対する排水横管１０２および排水立て管１０４の接続作業は、管継手１２、監視カメラ１４およびカバー部材１６を一体化した状態で行うこともできるし、管継手１２に排水横管１０２および排水立て管１０４を接続した後に、監視カメラ１４およびカバー部材１６を管継手１２に取り付けることもできる。
【００３８】
以上のように、この実施例によれば、管継手１２に監視カメラ１４を取り付け、防犯機能という新たな機能を屋外配管１０に付加したので、屋外配管１０の商品価値を高めることができる。
【００３９】
また、監視カメラ１４等の防犯機器を住宅に後々取り付けることに抵抗を感じるユーザも多いが、屋外配管１０に監視カメラ１４等の防犯機器を予め組み込んでおくことで、防犯対策を備える建物（住宅）として売り出すことが可能となるので、防犯機器を後々取り付けることに対するユーザの抵抗を緩和できる。したがって、防犯機器の導入が促進され、防犯対策の普及にも役立つ。
【００４０】
さらに、管継手１２と監視カメラ１４とを一個体にまとめたので、配管部材と防犯機器とが別々に建物に設置される場合と比較して、雑然とした印象を与えることがなくなり、建物の外観上の美感（意匠性）が向上する。
【００４１】
さらにまた、管継手１２をカバー部材１６で覆うので、屋外配管１０自体の意匠性も向上させることができる。また、屋外配管１０の美感が向上することで、従来はなるべく目立たない位置に配置していた屋外配管を玄関などの目立つ位置に配置することも可能となる。
【００４２】
なお、上述の実施例では、管継手１２の上端部に載置面２４ａを形成することで、管継手１２に監視カメラ１４を取り付け易くしている。しかし、管継手１２は、必ずしも突出部２４および載置面２４ａなどを有する必要はなく、汎用の９０°エルボ型の管継手をそのまま用いることもできる。機器取付部を有するカバー部材を用いることによって、従来公知の配管部材に対しても防犯機器を取り付け可能となるからである。
【００４３】
また、上述の実施例では、配管部材として９０°エルボ型の管継手１２を例示したが、配管部材として用いる管継手の種類および形状などは、特に限定されず、チーズ型およびソケット型などであってもよい。また、配管部材は、必ずしも管継手である必要はなく、直管または曲管などの配管用管であってもよく、管継手と配管用管とが組み合わされたものであってもよい。
【００４４】
さらに、上述の実施例では、管継手１２の上に載置するように監視カメラ１４を取り付けた、つまり屋外配管１０の上部に防犯機器を配置したが、防犯機器の取付位置（機器取付部の形成位置）は、適宜変更可能である。たとえば、防犯機器を屋外配管１０の側部または下部に配置することもできる。
【００４５】
さらにまた、上述の実施例では、カバー部材１６に機器取付部４６を形成するようにしたが、屋外配管１０は必ずしもカバー部材１６を備える必要はなく、管継手または配管用管などの配管部材の管壁に機器取付部を直接形成することもできる。また、機器取付部の構造は適宜変更可能であり、機器取付部は、たとえば、ねじ方式またはバヨネット方式を用いて防犯機器を取り付けるものであってもよい。
【００４６】
また、上述の実施例では、監視カメラ１４としてドーム型のものを例示したが、監視カメラ１４の具体的構造は、適宜変更可能である。たとえば、監視カメラとして箱型のものを用いることもできる。
【００４７】
次に、図１１−図１９を参照して、この発明の他の実施例である屋外配管１０について説明する。図１１に示すように、この実施例では、配管部材は、９０°エルボ型の管継手５０であり、防犯機器は、照明装置５２である。そして、屋外配管１０は、玄関ドア１０６の付近において、建物の外壁面１００に敷設される。
【００４８】
以下、この実施例の屋外配管１０の構成について、具体的に説明する。図１２−図１４に示すように、屋外配管１０は、管継手５０、照明装置５２および照明ケース５４を備える。
【００４９】
図１５および図１６に示すように、管継手５０は、ポリ塩化ビニル等の合成樹脂などによって形成される。管継手５０は、９０°の角度で湾曲する排水流路６０ａを有する曲管状の継手本体６０を備える。継手本体６０の両端部のそれぞれには、接着受口などの接続部６２が形成される。また、継手本体６０の中央部には、継手本体６０の湾曲方向外側に傾斜面６４ａを有する三角柱状の基部６４が、側方（図１４における正面側および背面側）に突出するように形成される。また、傾斜面６４ａの上端部には、上方に延出する矩形板状の背板６６が形成され、傾斜面６４ａの下端部には、側方に延出する矩形板状の底板６８が形成される。背板６６および底板６８は、基部６４と共に、照明ケース５４の取付部として用いられる。
【００５０】
そして、基部６４の傾斜面６４ａの中央部には、機器取付部７０が形成される。機器取付部７０は、円形の窪み部状に形成され、ここに照明装置５２のソケット７４が嵌め込まれて取り付けられる。すなわち、この実施例では、管継手５０の管壁が防犯機器を取り付けるための機器取付部７０を有している。
【００５１】
図１７に示すように、照明装置５２は、電球７２と、電球７２が着脱可能に取り付けられるソケット７４とを備える。電球７２は、たとえばＬＥＤ電球であって、ＬＥＤ素子が実装された発光モジュールと、発光モジュールの動作を制御する回路ユニットとをその内部に備える。ソケット７４は、商用電源などの電源からの電力を電球７２に供給するものである。ソケット７４は、有底円筒状に形成され、その基端部が機器取付部７０に嵌め込まれて接着等されることで、管継手５０に取り付けられる。そして、ソケット７４に対して電球７２の口金がねじ込まれることで、電球７２とソケット７４とが電気的に接続される。
【００５２】
また、図示は省略するが、照明装置５２は、電球７２を点灯または消灯させる情報を取得するためのセンサユニットを備える。センサユニットは、たとえば人感センサおよび照度センサを含む。人感センサとしては、赤外線センサ（焦電センサ）等が用いられる。人感センサは、周囲温度と温度差のあるものが検出範囲内で動いたときに、その温度変化を検出することで人の有無を検知する。また、照度センサとしては、フォトダイオード等が用いられる。照度センサは、入射した光を電流に変換することで明るさを検知する。このようなセンサユニットで取得された情報は、回路ユニットに入力される。
【００５３】
ただし、センサユニットは、必ずしも照明装置５２が備える必要はなく、管継手５０の他の位置に設けられていてもよいし、屋外配管１０とは別の位置に配置されていてもよい。また、この実施例では、照明装置５２としてＬＥＤ電球を備えるものを例示しているが、照明装置５２の具体的な構造および形状は、適宜変更可能である。たとえば、照明装置５２は、蛍光灯または白熱電球などを備えるものであってもよい。
【００５４】
図１８および図１９に示すように、照明ケース５４は、照明装置５２を保護するためのケースであって、管継手５０の基部６４等に着脱可能に装着される。照明ケース５４は、アクリル等の透光性を有する高強度材によって、下方が開放された立方体状に形成される。また、照明ケース５４の下部には、管継手５０の基部６４の形状に合わせて斜面状に切り欠かれた切欠部７６が形成される。
【００５５】
このような屋外配管１０では、照明装置５２は、一例として、周辺が暗い状態で人を検知したときに、電球７２を所定時間点灯するように制御される。すなわち、照明装置５２の回路ユニットは、照度センサが所定の暗さを検知し、かつ人感センサが人を検知したときに、発光モジュールに対して電力の供給を開始し、所定時間の経過後、その電力の供給を停止する。このように照明装置５２を制御することで、その光によって侵入者の存在を周囲に知らしめたり、侵入者に心理面でインパクトを与えたりすることができるので、侵入者に犯行を断念させることができる。また、自動で点灯および消灯することで、消し忘れの心配もなく節電に繋がる。ただし、照明装置５２は、夜間に常時点灯させておくだけでも防犯効果を有するので、必ずしもセンサユニットと連動させてオン-オフする必要はない。たとえば、ユーザがスイッチを手動操作することによって、照明装置５２をオン-オフするようにしてもよい。
【００５６】
以上のように、この実施例によれば、管継手５０に照明装置５２を取り付け、防犯機能という新たな機能を屋外配管１０に付加したので、屋外配管１０の商品価値を高めることができる。また、図１に示す実施例と同様に、防犯機器を後々取り付けることに対するユーザの抵抗を緩和できるので、防犯対策の普及に役立つ。さらに、管継手５０と照明装置５２とを一個体にまとめたので、建物の外観上の美感を向上させることができる。
【００５７】
なお、上述の各実施例では、防犯機器に接続される電源線および信号線などの配線は、屋外配管１０の外部に露出させてから電源およびホームユニット等まで延びるように配設することを想定している。しかし、防犯機器に接続される配線は、配管部材の管壁内に予め埋め込む（たとえばインサート成形する）、或いは、配管部材に装着した封止部材で覆うことによって、屋外配管の外部に露出しないように配設することもできる。その一実施例を図２０および図２１に示す。
【００５８】
図２０および図２１に示すように、この実施例の屋外配管１０は、配管部材として配管用管８０を備える。配管用管８０は、その管壁に厚肉部８２を有し、この厚肉部８２の外面側には、管軸方向に延びる第１溝部８４が形成される。この第１溝部８４には、長帯状の封止部材８６が嵌め込まれる。封止部材８６は、内面側に第２溝部８８を有しており、第１溝部８４に封止部材８６を嵌め込んだ状態において、第１溝部８４および第２溝部８８によって管軸方向に延びる通線空間９０が形成される。そして、この通線空間９０内に、図示しない防犯機器に接続された電源線および信号線などの配線９２が配設される。
【００５９】
このように、屋外配管１０の外部に露出しないように配線９２を配設することで、建物の外観上の美感をより向上させることができる。また、屋外配管１０に配線９２をインサートすることで、設置の際の工事工程を減らすことができ、新規工事での設置簡易化を図ることができる。
【００６０】
また、上述の各実施例では、１つの配管部材に対して１つの防犯機器を取り付けるようにしたが、１つの配管部材に複数の防犯機器を取り付けることもできる。また、屋外配管１０が備える防犯機器は、他の機器と連動させることもできる。この場合の他の機器は、自身または他の屋外配管が備える機器であってもよいし、屋外配管とは別の場所に設置される機器であってもよい。たとえば、留守中に建物に近づく人を人感センサが検出したときに、照明装置を点灯させ、この照明装置の点灯に伴い監視カメラの録画を開始するということが考えられる。
【００６１】
さらに、上述の各実施例では、配管部材に防犯機器を取り付けるようにしたが、防犯機器の代わりに、或いは防犯機器と共に、建物内の様子を検出可能なセンサ（図示せず）を配管部材に取り付けることもできる。この場合のセンサは、配管部材内を流れる流体の情報を検知するセンサであり、具体的には、圧力センサ、音センサ、振動センサおよび温度センサ等である。センサによって取得された情報は、建物内に設置されたホームユニット等に送られる。ホームユニットは、たとえば、排水が長時間に亘って検知されない場合、或いは、排水の頻度が異常に多いことが検知された場合などに、建物の居住者（たとえば高齢者）に異常が発生していると判断して、その関係者の携帯端末などに通知する。
【００６２】
このように、配管部材に建物内の様子を検出可能なセンサを取り付けることで、安否確認機能（見守り機能）という新たな機能を屋外配管１０に付加することができるので、屋外配管１０の商品価値を高めることができる。
【００６３】
なお、上で挙げた寸法などの具体的数値および具体的形状などは、いずれも単なる一例であり、製品の仕様などの必要に応じて適宜変更可能である。
【符号の説明】
【００６４】
１０  …屋外配管
１２,５０  …管継手
１４  …監視カメラ
１６  …カバー部材（管継手用カバー部材）
４６,７０  …機器取付部
５２  …照明装置
８０  …配管用管
８６  …封止部材
９２  …配線
１００  …建物の外壁面
【図１】
2019210972.tif 000003
【図２】
2019210972.tif 000004
【図３】
2019210972.tif 000005
【図４】
2019210972.tif 000006
【図５】
2019210972.tif 000007
【図６】
2019210972.tif 000008
【図７】
2019210972.tif 000009
【図８】
2019210972.tif 000010
【図９】
2019210972.tif 000011
【図１０】
2019210972.tif 000012
【図１１】
2019210972.tif 000013
【図１２】
2019210972.tif 000014
【図１３】
2019210972.tif 000015
【図１４】
2019210972.tif 000016
【図１５】
2019210972.tif 000017
【図１６】
2019210972.tif 000018
【図１７】
2019210972.tif 000019
【図１８】
2019210972.tif 000020
【図１９】
2019210972.tif 000021
【図２０】
2019210972.tif 000022
【図２１】
2019210972.tif 000023